(57)【要約】      （修正有）【課題】簡易に係止手段を用いて景品を払い出すことができる景品獲得装置を提供する。【解決手段】景品収納部内で移動自在に吊り下げ支持され、先端が環形状又はフック形状の吊下フック１１０ｃを有する景品取得部１１０と、景品排出口１０４ａの上方に、一方の辺を回転軸として回動可能に設けられ、一方の辺と対向する他方の辺の近傍に吊下フック１１０ｃと係止するためのフック形状を有する固定フック１４が取り付けられた景品載置台と、を備え、固定フック１４は、吊下フック１１０ｃに係止された状態で景品取得部１１０が所定位置まで上昇した場合に、吊下フック１１０ｃが固定フック１４から外れるようにフック形状の開口部が設けられている。【選択図】図２
0003202145.tif 000002
【実用新案登録請求の範囲】
【請求項１】
景品収納部内の景品を、景品排出口から前記景品収納部外へ排出する景品獲得装置であって、
前記景品収納部内で移動自在に吊り下げ支持され、先端が環形状又はフック形状の第１の係止手段を有する景品取得部と、
前記景品排出口の上方に、一方の辺を回転軸として回動可能に設けられ、前記一方の辺と対向する他方の辺の近傍に前記第１の係止手段と係止するためのフック形状を有する第２の係止手段が取り付けられた景品載置台と、を備え、
前記第２の係止手段は、
前記第１の係止手段に係止された状態で前記景品取得部が所定位置まで上昇した場合に、前記第１の係止手段が前記第２の係止手段から外れるように前記フック形状の開口部が設けられた
ことを特徴とする景品獲得装置。
【請求項２】
前記第２の係止手段は、
前記回転軸と対向する側に前記開口部が設けられており、前記景品取得部が所定位置まで上昇したときに、前記開口部を形成する前記フック形状の先端部の延在方向が地面に対して水平または上方となるように形成された
ことを特徴とする請求項１記載の景品獲得装置。
【請求項３】
前記第１の係止手段は、
胴体部と前記胴体部の下端からつながるフック形状を有するフック部とを有し、水平面において吊り下げ中心から前記フック部の先端までの長さが、前記吊り下げ中心から前記フック部の先端の上方にある前記胴体部までの長さより長くなるように形成された
ことを特徴とする請求項１または２記載の景品獲得装置。
【考案の詳細な説明】
【技術分野】
【０００１】
本考案は、景品にリングを取り付けたり、係止手段に駆動機構を設けたりすることなく、簡易に係止手段を用いて景品を払い出す景品獲得装置に関する。
【背景技術】
【０００２】
昨今、ゲームセンター等の遊技施設には、景品獲得装置の１つとして、例えば、特許文献１に記載されたようなクレーン遊技装置が設置されることが多い。
【０００３】
このような一般的なクレーン遊技装置は、三方を透明板で囲まれた景品収納部と、この景品収納部内に設けられた景品把持部と、この景品把持部を景品収納部内で所望位置に移動させるクレーン駆動機構と、景品収納部内に開口した景品排出口とを備えている。
【０００４】
この一般的なクレーン遊技装置において、遊技者は、操作部の操作釦を操作することにより、景品収納部内底面のフロアパネル上に配置された景品に対してクレーン駆動機構を動作させて景品把持部が目標とする景品の真上に到着したと思われるとき操作釦の操作を停止させる。
【０００５】
その後、景品把持部は自動的に降下し、景品収納部のフロアパネルに到着し、景品把持部が閉じて降下位置の景品を把持すると景品獲得成功となる。
【０００６】
景品獲得後、景品把持部は景品を把持したまま上昇して景品排出口の上方に移動した後、景品把持部を開いて景品を景品排出口へ落とし、この景品排出口に連通された景品受取口から景品が払い出される。
【０００７】
また、近年では、一般的なクレーン遊技装置より、さらにゲーム性を高めるために、景品を把持するのではなく、フック形状を有する係止手段を用いて景品を払い出すタイプのクレーン遊技装置が普及し始めている。例えば、特許文献２〜特許文献４に示すように、景品に付けた掛止孔（リング）に、フック形状を有する係止手段を用いて掛け止めた後、景品落下口の上方において係止手段から景品を外すように動作する景品獲得ゲーム機が提案されている。
【先行技術文献】
【特許文献】
【０００８】
【特許文献１】特開２０００−８４２３６号公報
【特許文献２】特開２００３−２３６２３１号公報
【特許文献３】特開２００７−２７５４２７号公報
【特許文献４】特開２０１３−４２９２３号公報
【考案の概要】
【考案が解決しようとする課題】
【０００９】
しかしながら、特許文献２〜特許文献４に開示された装置では、景品に掛止孔（リング）を取り付ける必要がある。景品は様々な形状を有しているので、運営者は掛止孔に係止手段が掛け止められるように、取り付け角度や取り付け位置を工夫する必要があり、この取り付け作業が煩わしかった。また、景品に掛止孔を取り付けると景品の見栄えが悪く、また景品と共に掛止孔ごと払い出すので掛止孔を回収できず、景品と同数だけ掛止孔を用意する必要があった。
【００１０】
また、特許文献２〜特許文献４に開示された装置では、係止手段から景品を外す際、係止手段を駆動させる構造を有するので、装置構造が複雑になり製造コストが増大するという問題があった。
【００１１】
本考案は、上記課題に鑑みてなされたものであり、景品にリングを取り付けたり、係止手段に駆動機構を設けたりすることなく、簡易に係止手段を用いて景品を払い出すことができる景品獲得装置を提供することを目的とする。
【課題を解決するための手段】
【００１２】
上記目的を達成するため、本考案に係る景品獲得装置の第１の特徴は、景品収納部内の景品を、景品排出口から前記景品収納部外へ排出する景品獲得装置であって、前記景品収納部内で移動自在に吊り下げ支持され、先端が環形状又はフック形状の第１の係止手段を有する景品取得部と、前記景品排出口の上方に、一方の辺を回転軸として回動可能に設けられ、前記一方の辺と対向する他方の辺の近傍に前記第１の係止手段と係止するためのフック形状を有する第２の係止手段が取り付けられた景品載置台と、を備え、前記第２の係止手段は、前記第１の係止手段に係止された状態で前記景品取得部が所定位置まで上昇した場合に、前記第１の係止手段が前記第２の係止手段から外れるように前記フック形状の開口部が設けられたことにある。
【００１３】
上記目的を達成するため、本考案に係る景品獲得装置の第２の特徴は、前記第２の係止手段は、前記回転軸と対向する側に前記開口部が設けられており、前記景品取得部が所定位置まで上昇したときに、前記開口部を形成する前記フック形状の先端部の延在方向が地面に対して水平または上方となるように形成されたことにある。
【００１４】
上記目的を達成するため、本考案に係る景品獲得装置の第３の特徴は、前記第１の係止手段は、胴体部と前記胴体部の下端からつながるフック形状を有するフック部とを有し、水平面において吊り下げ中心から前記フック部の先端までの長さが、前記吊り下げ中心から前記フック部の先端の上方にある前記胴体部までの長さより長くなるように形成されたことにある。
【考案の効果】
【００１５】
本考案に係る景品獲得装置によれば、景品にリングを取り付けたり、係止手段に駆動機構を設けたりすることなく、簡易に係止手段を用いて景品を払い出すことができる。
【図面の簡単な説明】
【００１６】
【図１】本考案の実施例１である景品獲得装置の斜視図である。
【図２】本考案の実施例１である景品獲得装置の景品収納部内部を示した斜視図である。
【図３】（ａ）は、本考案の実施例１である景品獲得装置に備えられた景品取得部の吊下フックが景品載置台に取り付けられた固定フックに係止した状態を示しており、（ｂ）は、本考案の実施例１である景品獲得装置に備えられた景品取得部が景品載置台を傾斜させている状態を示しており、（ｃ）は、本考案の実施例１である景品獲得装置に備えられた景品取得部の吊下フックが固定フックから外れる直前の状態を示しており、（ｄ）は、本考案の実施例１である景品獲得装置に備えられた景品載置台の吊下フックが固定フックから外れた状態を示している。
【図４】図３（ｃ）に示す固定フック付近の拡大図である。
【図５】本考案の実施例２である景品獲得装置の景品取得部の拡大図である。
【考案を実施するための形態】
【００１７】
以下、本考案を実施するための形態について図面を参照して説明する。
【００１８】
＜実施例１＞
本考案の実施例１では、景品を景品収納部内に吊り下げ配置し、遊技者の操作に基づいて、景品収納部内に配置された景品を景品排出口から排出する景品獲得装置を例に挙げて説明する。
【００１９】
≪景品獲得装置１の構成≫
図１は、本考案の実施例１である景品獲得装置の斜視図である。
【００２０】
図１に示すように、景品獲得装置１は、三方を透明板で囲まれた景品収納部１０１と、この景品収納部１０１内に設けられた景品取得部１１０，１１１と、この景品取得部１１０，１１１を景品収納部１０１内で所望位置に移動させるクレーン機構１０３と、景品収納部１０１内の下部に設けられ景品を払い出す景品排出口１０４ａ，１０４ｂとを備えている。
【００２１】
景品収納部１０１の下方には、景品獲得装置１内部の景品排出口１０４ａ，１０４ｂからそれぞれ連通する景品受取口１０５ａ，１０５ｂと、操作釦やコイン投入口等を有する操作部１０６とが設けられている。
【００２２】
クレーン機構１０３は、景品取得部１１０，１１１を吊り下げ支持すると共に、遊技者による操作部１０６の操作により、景品取得部１１０，１１１を景品収納部１０１内で前後方向（Ｙ１，Ｙ２方向）、左右方向（Ｘ１，Ｘ２方向）、及び上下方向（Ｚ１，Ｚ２方向）の３方向に移動させる。
【００２３】
また、景品獲得装置１の下部には、クレーン機構１０３など景品獲得装置１内の各機器を制御する制御部１０７を備えている。
【００２４】
図２は、本考案の実施例１である景品獲得装置１の景品収納部１０１内部を示した斜視図である。なお、景品獲得装置１は、正面向かって左右対称の構成を有しているので、ここでは、景品獲得装置１の左側部分について説明する。
【００２５】
図２に示すように、景品取得部１１０は、キャッチャー１１０ａと、このキャッチャー１１０ａから吊り下げられた支持チェーン１１０ｂと、支持チェーン１１０ｂの端部に固定された吊下フック１１０ｃとを備えており、制御部１０７からの制御信号に基づいてクレーン機構１０３が駆動することにより、キャッチャー１１０ａと、支持チェーン１１０ｂと、吊下フック１１０ｃとが、景品収納部１０１内で前後、左右、及び上下の３方向に移動する。吊下フック１１０ｃは、水平面において３方向に延びたフック形状を有している。
【００２６】
景品排出口１０４ａの上方には、平板状の景品載置台１１が設けられている。この景品載置台１１は、一方の辺を回転軸１１ａとして、景品収納部１０１の内壁に固定された軸受１２により回動自在に支持されている。景品載置台１１の他方の辺の下方には、景品収納部１０１の内壁に固定された支持棒１３が設けられており、景品載置台１１が自由状態で地面に対して水平となるように景品載置台１１を下方から支持している。この景品載置台１１上には、景品Ｋが載置されている。
【００２７】
また、景品載置台１１における一方の辺と対向する他方の辺１１ｂの近傍には、吊下フック１１０ｃと係止するためのフック形状を有する固定フック１４が取り付けられている。ここで、景品載置台１１における一方の辺と対向する他方の辺の近傍とは、他方の辺１１ｂの位置であってもよいし、他方の辺１１ｂの位置から数ｃｍ程度一方の辺側にずれた位置であってもよい。すなわち、固定フック１４が吊下フック１１０ｃに係止された状態で景品取得部１１０が上昇したときに、回転軸１１ａを中心に景品載置台１１が回動して傾斜するような位置に固定フック１４が取り付けられていればよい。
【００２８】
固定フック１４は、吊下フック１１０ｃに係止された状態で、景品取得部１１０が所定位置まで上昇した場合に、吊下フック１１０ｃが固定フック１４から外れるように開口部が設けられている。この開口部の詳細は後述する。
【００２９】
≪景品獲得装置１の作用≫
次に、図３を用いて、本考案の実施例１である景品獲得装置１の作用について説明する。
【００３０】
図３（ａ）〜（ｄ）は、本考案の実施例１である景品獲得装置１における景品を獲得する一連の動作の流れを模式的に説明した図である。（ａ）は、本考案の実施例１である景品獲得装置１に備えられた景品取得部１１０の吊下フック１１０ｃが景品載置台１１に取り付けられた固定フック１４に係止した状態を示しており、（ｂ）は、本考案の実施例１である景品獲得装置１に備えられた景品取得部１１０が景品載置台１１を傾斜させている状態を示しており、（ｃ）は、本考案の実施例１である景品獲得装置１に備えられた景品取得部１１０の吊下フック１１０ｃが固定フック１４から外れる直前の状態を示しており、（ｄ）は、本考案の実施例１である景品獲得装置１に備えられた景品載置台１１の吊下フック１１０ｃが固定フック１４から外れた状態を示している。なお、本考案の実施例１である景品獲得装置１における景品を獲得する一連の動作は、制御部１０７からの制御信号に基づいて実行される。
【００３１】
図３（ａ）に示すように、遊技者による操作部１０６の操作釦の操作に基づいて、制御部１０７が、景品Ｋに対してクレーン機構１０３を動作させる。そして、遊技者は、景品取得部１１０が固定フック１４の真上に到着したと思われるとき操作釦の操作を停止させた場合、制御部１０７は、景品取得部１１０を自動的にＺ１方向に下降させる。これにより、景品取得部１１０の吊下フック１１０ｃが、固定フック１４に係止される。
【００３２】
次に、図３（ｂ）に示すように、景品取得部１１０は、固定フック１４に吊下フック１１０ｃを係止した状態で景品収納部１０１内においてＺ２方向に上昇する。これにより、回転軸１１ａを中心に景品載置台１１が回動して傾斜するので、景品載置台１１上に載置された景品Ｋが、景品排出口１０４ａに落下する。落下した景品Ｋは景品排出口１０４ａから連通する景品受取口１０５ａに排出される。
【００３３】
そして、景品取得部１１０は、固定フック１４に吊下フック１１０ｃを係止した状態でさらにＺ２方向に図３（ｃ）に示す所定の高さまで上昇すると、図３（ｄ）に示すように、固定フック１４に係止されていた吊下フック１１０ｃが外れ、景品載置台１１が支持棒１３に支持される。
【００３４】
図４は、図３（ｃ）に示す固定フック１４付近の拡大図である。
【００３５】
図４に示すように、景品取得部１１０が、固定フック１４に吊下フック１１０ｃを係止した状態でＺ２方向に所定の高さまで上昇すると、固定フック１４に係止されていた吊下フック１１０ｃが外れる。
【００３６】
固定フック１４は、回転軸１１ａと対向する側に開口部１４ａが設けられており、景品取得部１１０が所定位置まで上昇したときに、開口部１４ａを形成するフック形状の先端部１４ｂの延在方向Ａ１が地面Ａ２に対して水平となるように形成されている。この形状を有することにより、景品取得部１１０が、固定フック１４に吊下フック１１０ｃを係止した状態でＺ２方向に上昇すると、吊下フック１１０ｃは支持チェーン１１０ｂにより引っ張られ、吊下フック１１０ｃと固定フック１４とが係止している係止点（接触点）が先端部１４ｂへと近づく。そして、景品取得部１１０は、さらにＺ２方向に図４に示す所定の高さまで上昇すると、固定フック１４に係止されていた吊下フック１１０ｃが外れる。
【００３７】
これにより、吊下フック１１０ｃ自体に駆動機構を備えることなく、景品取得部１１０が、Ｚ２方向に図４に示す所定の高さまで上昇することにより、自動的に固定フック１４に係止されていた吊下フック１１０ｃが外すことができる。
【００３８】
また、景品Ｋは、景品載置台１１上に載置されており、回転軸１１ａを中心に景品載置台１１が回動して傾斜させることにより、景品Ｋを景品排出口１０４ａに落下させ、落下した景品Ｋを景品受取口１０５ａから払い出すことができるので、景品Ｋ自体に固定フック１４を取り付ける必要がない。そのため、景品Ｋの見栄えもよく、固定フック１４を景品Ｋと同数個用意する必要もないので、運営費を削減することが可能となる。
【００３９】
なお、固定フック１４は、景品取得部１１０が所定位置まで上昇したときに、開口部１４ａを形成するフック形状の先端部１４ｂの延在方向が地面に対して水平となるように形成されているが、これに限らず、開口部１４ａを形成するフック形状の先端部１４ｂの延在方向が地面に対して上方となるように形成されていてもよい。すなわち、開口部１４ａを形成するフック形状の先端部１４ｂは、景品取得部１１０がＺ２方向に図４に示す所定の高さまで上昇したとき、固定フック１４に係止されていた吊下フック１１０ｃが外れるような角度となるように形成されていればよい。
【００４０】
また、吊下フック１１０ｃは、水平面において３方向に延びたフック形状を有しているが、これに限らず、環形状を有していても良い。すなわち、固定フック１４に係止される形状を有していればよい。
【００４１】
以上のように、本考案の実施例１である景品獲得装置１によれば、景品収納部１０１内で移動自在に吊り下げ支持され、先端が環形状又はフック形状の吊下フック１１０ｃを有する景品取得部１１０と、景品排出口１０４ａ，１０４ｂの上方に、一方の辺を回転軸として回動可能に設けられ、一方の辺と対向する他方の辺の近傍に吊下フック１１０ｃと係止するためのフック形状を有する固定フック１４が取り付けられた景品載置台と、を備え、固定フック１４は、吊下フック１１０ｃに係止された状態で景品取得部１１０が所定位置まで上昇した場合に、吊下フック１１０ｃが固定フック１４から外れるようにフック形状の開口部１４ａが設けられているので、景品Ｋにリングを取り付けたり、吊下フック１１０ｃ（係止手段）に駆動機構を設けたりすることなく、簡易に吊下フック１１０ｃ（係止手段）を用いて景品Ｋを払い出すことができる。
【００４２】
＜実施例２＞
本考案の実施例１では、吊下フック１１０ｃが、水平面において３方向に延びたフック形状を有する景品獲得装置１を例に挙げて説明したが、本考案の実施例２では、吊下フックが、Ｓ字フック形状を有する景品獲得装置１を例に挙げて説明する。
【００４３】
図５は、本考案の実施例２である景品獲得装置１の景品取得部１１０の拡大図である。ここで、景品獲得装置１の構成のうち、吊下フック以外の構成については、本考案の実施例１である景品獲得装置１と同一であるので説明を省略する。
【００４４】
図５に示すように、吊下フック１１０ｄは、Ｓ字形状を有しており、胴体部１１０ｅと胴体部１１０ｅの下端１１０ｆからつながるフック部１１０ｇとを有している。なお、胴体部１１０ｅとフック部１１０ｇとは一体成形されていてももちろんよい。
【００４５】
そして、支持チェーン１１０ｂとの接続箇所からＺ１−Ｚ２方向に伸長した線を吊下フック１１０ｄの吊り下げ中心Ｃとすると、吊下フック１１０ｄは、水平面における吊り下げ中心Ｃからフック部１１０ｇの先端１１０ｈまでの長さＬ１が、水平面における吊り下げ中心Ｃから、フック部１１０ｇの上方にある胴体部の端部１１０ｊまでの長さＬ２より長くなるように形成されている。
【００４６】
これにより、景品取得部１１０をＺ１方向に上昇させる際、景品取得部１１０の吊下フック１１０ｄを簡単に固定フック１４に係止させることができる。
【００４７】
なお、ゲームの難易度を調整するために、Ｌ３（＝Ｌ１−Ｌ２）を調整してもよい。具体的には、Ｌ３を短くすればする程、吊下フック１１０ｄを固定フック１４に係止させる際の難易度が上がり、Ｌ３を長くすればする程、難易度は下がる。そのため、Ｌ３を調整することにより、難易度に変更するようにしてもよい。
【符号の説明】
【００４８】
１…景品獲得装置
１１…景品載置台
１１ａ…回転軸
１１ｂ…他方の辺
１２…軸受
１３…支持棒
１４…固定フック
１４ａ…開口部
１４ｂ…先端部
１０１…景品収納部
１０３…クレーン機構
１０４ａ，１０４ｂ…景品排出口
１０５ａ，１０５ｂ…景品受取口
１０６…操作部
１０７…制御部
１１０，１１１…景品取得部
１１０ａ…キャッチャー
１１０ｂ…支持チェーン
１１０ｃ，１１０ｄ…吊下フック
１１０ｅ…胴体部
１１０ｆ…下端
１１０ｇ…フック部
１１０ｈ…先端
１１０ｊ…端部
Ｋ…景品
【図１】
0003202145.tif 000003
【図２】
0003202145.tif 000004
【図３】
0003202145.tif 000005
【図４】
0003202145.tif 000006
【図５】
0003202145.tif 000007